(57)【要約】【課題】  磁気記録再生装置では、記録容量を増やす手段の一つとして、トラックピッチの狭小化が図られている。しかしながら動作中に与えられる衝撃や振動が記録・再生に深刻な影響を及ぼすことが明らかとなり、耐衝撃性、耐振動性を向上させることが必須となった。【解決手段】  下固定ドラムと上固定ドラムと磁気ヘッドを有する中回転ドラムを有する回転磁気ヘッドドラム装置において、回転磁気ヘッドドラム装置の上固定ドラムの上面とカセットホルダ面を振動防止板により固定することにより、耐衝撃、耐振動性が向上する。【選択図】  図１
2007026559.tif 000002
【特許請求の範囲】
【請求項１】
磁気テープ案内用のテープ走行面が外周側面に形成された下固定ドラムと、前記下固定ドラムと同軸に固定された磁気テープ案内用のテープ走行面が外周面に形成された上固定ドラムと、前記下固定ドラムと前記上固定ドラムの間に同軸回転可能に取り付けられた磁気ヘッドを具備した中回転ドラムを有する回転磁気ヘッドドラム装置と、前記下固定ドラムの底面を固定するメカシャーシと、前記メカシャーシに固定されているカセットホルダとから構成される磁気記録再生装置において、前記上固定ドラムの上面が振動防止板により前記カセットボルダに固定されていることを特徴とする磁気記録再生装置。
【請求項２】
前記上固定ドラムの上面に凸部を設け、前記振動防止板には前記凸部と接する部位に対向するつめ部を設け、前記凸部に振動防止板の前記対向するつめ部が固定されていることを特徴とする請求項第1項記載の磁気記録再生装置。
【発明の詳細な説明】
【技術分野】
【０００１】
本発明は回転磁気ヘッドドラム装置により高記録密度・高転送レート記録を行うデジタルＶＴＲやテープストリーマ等の磁気記録再生装置に係り、特に耐衝撃性、耐振動性を向上させる構造に関するものである。
【背景技術】
【０００２】
衝撃・振動に配慮した従来技術として、例えば、特許文献１では、目的として「ドラム装置において、簡易な構成で各方向からの衝撃による円筒度の変化を有効に回避すると共に、円筒度を容易に調整するものである。」と記載され、構成として「上及び下ドラムに応じた半径を有する円弧面で上及び下ドラムに接触して保持する第１のドラム当接面と、上又は下ドラムの上又は下端面、若しくは上又は下ドラムに形成された切欠部で上又は下端面にほぼ並行な平面に接触して保持する第２のドラム当接面とを一体に成形するようにしたことより、各方向からの衝撃による円筒度の変化を有効に回避し得ると共に、第２のドラム当接面側で容易に円筒度を調整し得る。」と記載されている。
【０００３】
【特許文献１】特開平５−２４２４３９号公報
【発明の開示】
【発明が解決しようとする課題】
【０００４】
近年、磁気記録再生装置では、記録容量の増加、高転送レート記録に対する要求が高まっている。記録容量の増加に関しては、記録波長の短波長化、記録トラックピッチの狭小化が必要であり、これに伴い取り扱う信号が微小化してしまう。これらの課題に対しては、再生ヘッドとしてＭＲヘッド（磁気抵抗効果型磁気ヘッド）やＧＭＲヘッド（巨大磁気抵抗効果型磁気ヘッド）を適用することで微小な信号でも読み出すことのできる技術が確立されている。
【０００５】
一方、高転送レートに対しては、回転磁気ヘッドドラム装置の回転数を増加することや、記録チャンネルの多チャンネル化で対応している。回転磁気ヘッドドラム装置の回転数の増加による磁気ヘッドと磁気テープの接触の課題に対しては、回転磁気ヘッドドラム装置の構造を工夫することで改善が図られている。回転磁気ヘッドドラム装置には、磁気ヘッドを上ドラムに固定し下ドラムに対して上ドラム全体が回転する上ドラム回転方式と、上ドラムと下ドラムが固定軸に固定され上ドラムと下ドラムの隙間を磁気ヘッドを具備した中回転ドラムが固定軸の周りを回転する中回転ドラム方式とがある。
【０００６】
上ドラム回転方式では上ドラムが回転するためにエアーを巻き込み、磁気テープと上ドラムの間にエアーフィルムが形成され、特に上ドラムが高速に回転する場合に磁気ヘッドと磁気テープの接触が不安定となるのに対し、中回転ドラム方式の場合、上下ドラムが固定されており、中回転ドラムのみが回転するためにエラーフィルムの影響を受けにくいという特徴を有している。
【０００７】
微小な信号を読み出すためにＭＲヘッドを再生ヘッドとして採用していることは先に説明したが、近年回転磁気ヘッドドラム装置では、更にノイズ等の影響を抑えるために、信号増幅器（プリアンプ）等の回路部品を中回転ドラム上に設ける構成を採っている。これらの回路部品は、中回転ドラムの回転に影響を与えないように極力バランスの採れた部品配置となるように設計されているが、最終的な回転磁気ヘッドドラム装置のバランスはバランス修正プレート等の部品により採る構成となっている。これらの回路部品、バランス修正プレート等は、磁気ヘッド取り付け面より上方向に配されており、重心が高くなっていることから、衝撃・振動により固定軸の振れを引き起こす要因となる。特に、記録容量の増加のため記録トラックピッチの狭小化を図った磁気記録再生装置における動作中の衝撃・振動は、記録時にはトラックピッチの変動による映像の乱れやリライト率（主にデータを記録する際、記録に失敗した場合に再び記録を行う率）の増加を招き、再生時には画像の乱れやリリード率（主にデータを再生する際、再生に失敗した信号を再び再生する率）の増加を招くことが明らかとなった。
【０００８】
上述したように、近年の磁気記録再生装置では、記録容量の増加のため記録トラックピッチの狭小化を図っているので衝撃・振動による記録再生特性の影響を回避することが必須となった。
【課題を解決するための手段】
【０００９】
本発明は、軸固定型の中回転ドラム方式の回転磁気ヘッドドラム装置を具備する磁気記録再生装置において、動作中の耐衝撃性・耐振動性を向上させることを目的とする。
【００１０】
上記目的を達成するため、本発明は、磁気テープ案内用のテープ走行面が外周側面に形成された下固定ドラムと、前記下固定ドラムと同軸に固定された磁気テープ案内用のテープ走行面が外周面に形成された上固定ドラムと前記下固定ドラムと前記上固定ドラムの間に同軸回転可能に取り付けられた磁気ヘッドを具備した中回転ドラムを有する回転磁気ヘッドドラム装置と、前記下固定ドラムの底面を固定するメカシャーシと、前記メカシャーシに固定されているカセットホルダとから構成される磁気記録再生装置において、前記上固定ドラムの上面が振動防止板により前記カセットホルダに固定される構成とした。この構成により、回転磁気ヘッドドラム装置は底面側はメカシャーシ、上面側はカセットホルダに振動防止板を介して上下２箇所で固定されることになる。振動防止板には高い精度は不要であるので、コストアップを抑えながら衝撃・振動を回避することができる。
【００１１】
さらに、前記上固定ドラムの上面に凸部を設け、前記振動防止板には前記凸部と接する部位に対向するつめ部を設け、前記凸部に振動防止板の前記対向するつめ部が固定されていることを特徴とする。これにより、ネジを使用しなくても振動防止版と上固定ドラムを固定できるので、コストアップを抑えることができる。
【発明の効果】
【００１２】
上記説明したように本発明によれば、衝撃・振動による固定軸の振れを抑制することができ、動作中の耐衝撃性、耐振動性を向上させることができる。
【発明を実施するための最良の形態】
【００１３】
以下、本発明による回転磁気ヘッドドラム装置を具備した磁気記録再生装置の一実施例を図１から図１０によって説明する。
【実施例１】
【００１４】
図１は、本発明による回転磁気ヘッドドラム装置を具備した磁気記録再生装置の斜視図である。ヘリカルスキャン方式を採る磁気記録再生装置では、磁気ヘッドは磁気テープに対して斜めに走査することから、回転磁気ヘッドドラム装置１は、メカシャーシ２に所定の角度で形成されているドラム取り付け面（図示せず）に固定されている。また、回転磁気ヘッドドラム装置１の上面に形成された凸部５に振動防止板３の一端がはめ込まれ、振動防止板３の別の一端がメカシャーシ２に固定されているカセットホルダ４に固定されている構造を採っている。また、カセットホルダ４はメカシャーシ２にネジ等で固定されている。
【００１５】
図２は、図１に示す磁気記録再生装置をＡ−Ａ’面で回転磁気ヘッドドラム装置１の底面（基準面）に垂直に切り、図１に示すＢ方向より見たときの回転磁気ヘッドドラム装置１付近の拡大図を示す。尚、ここに説明している回転磁気ヘッドドラム装置１は、軸固定型の中回転ドラム方式の回転磁気ヘッドドラム装置であり、回転磁気ヘッドドラム装置１の断面の内部の詳細は図３で説明するのでここでは省略する。
【００１６】
回転磁気ヘッドドラム装置１の底面（基準面）は、メカシャーシ２のドラム取り付け面２’にネジ（図示せず）により固定され、且つ回転磁気ヘッドドラム装置１の上面の凸部５には、振動防止板３の一端がはめ込まれており、振動防止板３のもう一端は、カセットホルダ４に両面テープ６により固定される構成となっている。
【００１７】
図３は、回転磁気ヘッドドラム装置の断面図である。図３を用いて本発明に係わる軸固定型の中回転ドラム方式の回転磁気ヘッドドラム装置１の構造を説明する。
【００１８】
軸１７は下固定ドラム１３に圧入されている。下固定ドラム１３の底面は、回転磁気ヘッドドラム装置１がシャーシ２に固定されるときの基準面２７となる。１２は中回転ドラムであって、磁気ヘッド１１が搭載されており、軸１７を中心として、所定の回転数に制御されて回転する。１６ａ、１６ｂは玉軸受である。予圧金具１５が止めネジ１９により軸１７に固定されていて、玉軸受１６ａ、１６ｂに予圧を与えている。２２ａはモータロータで中回転ドラム１２の上端面部に取り付けられている。２２ｂはモータコイルであり、２２ｃはモータステータである。上固定ドラム１４は止めネジ１９にて取り付けられた予圧金具１５の上端面にモータステータ２２ｃと共に締結ネジ２６で締結されている。回路基板２０は中回転ドラム１２に取付ネジ（図示せず）により取り付けられている。磁気ヘッド１１にはフレキシブル基板２３の一端が結線されて取り付けられていて回路基板２０に搭載されているコネクタ２１に接続されている。また回路基板２０には回転トランス接続用コネクタ２５が搭載されており、回転トランスロータ１８ａからの回転トランスフレキシブル基板２４が接続されている。回転トランスロータ１８ａに対向して回転トランスステータ１８ｂが配置され、この間で電磁的に信号の受け渡しをしている。また、回路基板２０の上側には、中回転ドラム１２のバランスを修正するためのバランス修正プレート２８が付けられている。また、上固定ドラム１４の上面には、振動防止板３がはめ込み可能な凸部５が形成されている。
【００１９】
図４は振動防止板３の一例を示し、詳細を説明する。
【００２０】
振動防止板３は、０．２ｍｍ厚みのステンレスを加工して作成している。振動防止板３は、角度の異なる上固定ドラム１４の上面とカセットホルダ４の面とを固定するために、折り目４５、４６が付けられ、ドラム側面３ａとカセットホルダ側面３ｂとが所定の角度になるように折り曲げられている。また上ドラム１４の凸部５にはめ込み可能なように取り付け穴４１が形成され、更に衝撃・振動で外れないように折り目４７で折られた対向するつめ部４２が形成されている。つめ部４２は、特に上固定ドラム１４の凸部５にはめ込んで固定する場合に特に効果がある。ここで、上固定ドラム１４に両面テープ等の粘着剤で固定する場合にはつめ部４２は省略してもよい。また、４８はネジ取け付け穴を示すが、ネジで固定しない場合には省略することが可能である。
【００２１】
次に、本実施例における振動による記録トラックピッチへの影響の回避度合いを図９、図１０によって説明する。図９に振動防止板を取り付けていない従来の磁気記録再生装置で記録した記録パタン、図１０に本発明の振動防止板を取り付けた磁気記録再生装置で記録した記録パタンを示す。所定の振動下で磁気記録再生装置を記録動作をさせたときの記録トラックピッチを観察した写真を示す。
【００２２】
図９に示す振動防止板を取り付けていない従来の磁気記録再生装置で記録した記録パタンでは、ｃｈ１の磁気ヘッドで記録したパタン幅９ａとｃｈ２の磁気ヘッドで記録したパタン幅９ｂとではトラックピッチに変動（差）が認められる。そのため、トラックピッチの変動による映像の乱れやリライト率の増加を招きやすくなっている。ところが、図１０に示す振動防止板を取り付けた磁気記録再生装置で記録した記録パタンでは、ｃｈ１の磁気ヘッドで記録したパタン幅１０ａとｃｈ２の磁気ヘッドで記録したパタン幅１０ｂとではトラックピッチの変動（差）がほとんど認められなくなる。そのため映像の乱れやリトライ率の増加を起こすことがなくなる。
【００２３】
以上説明したように、回転磁気ヘッドドラム装置は底面側はメカシャーシ、上面側はカセットホルダに振動防止板を介して上下２箇所で固定されることになる。振動防止板には高い精度は不要であるので、コストアップを抑えながら衝撃・振動を回避することができる。
【実施例２】
【００２４】
図１から図４では、上固定ドラム１４の上面に凸部５を有した構成の回転磁気ヘッドドラム装置１に関して説明した。以下では、その他の上固定ドラム１４の別の形態に関して図５によって説明する。
【００２５】
図５は、上固定ドラム１４の第２の実施例を示す概略図である。上固定ドラム１４の上面には凹凸は設けていない。この場合はネジや両面テープなどの接着剤により上固定ドラム１４と振動防止板３とを固定する。
【００２６】
尚、図５において、図示していないが、上固定ドラム１４の上面に必要に応じて振動防止板を取り付けるネジ穴があけられることがある。
【実施例３】
【００２７】
図７は、振動防止板の第３の実施例を示す図である。図７の振動防止板７１は上固定ドラム１４の上面に、ネジや両面テープなどの粘着剤を用いて固定する場合に用いられる。図４の振動防止板と同様に、角度の異なる上固定ドラム上面とカセットホルダ面を固定するために、折り目４５、４６が付けられ、所定の角度に折り曲げられている。更に、ネジ止め時に使用するためのネジ取り付け穴４８が設けられている。
【実施例４】
【００２８】
図６は、上固定ドラム１４の第４の実施例を示す概略図である。上固定ドラム１４の上面をカセットホルダ４の面と略水平になるようにした場合の一例である。図８は動防止板の第４の実施例を示している。
【００２９】
図８に示す振動防止板８１は、略平板で構成されており、図６の構成を採る回転磁気ヘッドドラム装置１に対して有効である。上固定ドラム１４の上面がカセットホルダ４の面と略水平になるようになっているので、振動防止板８１を折り目のない、略平板で構成することができ、部品コストを抑えることが可能となる。
【００３０】
図６では、上固定ドラム１４の全体をカセットホルダ４の面と略平行に加工しているが、上固定ドラム１４の一部を略平行にした場合でも有効である。
【００３１】
尚、図６において、図示していないが、上固定ドラム１４の上面に必要に応じて振動防止板を取り付けるネジ穴を設けてもよいし、図８に示すようにネジ取り付け穴４８を設けてもよい。
【図面の簡単な説明】
【００３２】
【図１】本発明の磁気記録再生装置の斜視図
【図２】本発明の磁気記録再生装置のＡ-Ａ’断面をＢ方向より見た拡大図
【図３】本発明の回転磁気ヘッドドラム装置の実施例の断面図
【図４】本発明の振動防止板の一例
【図５】本発明の上固定ドラム面の第２の実施例
【図６】本発明の上固定ドラムの第４の実施例
【図７】本発明の振動防止板の第３の実施例
【図８】本発明の振動防止板の第４の実施例
【図９】振動防止板のない従来のドライブで記録した記録パタン
【図１０】本発明の振動防止板をつけたドライブで記録した記録パタン
【符号の説明】
【００３３】
１…回転磁気ヘッド装置、２…メカシャーシ、２’…ドラム取り付け面、
３…振動防止板、３ａ…ドラム側面、３ｂ…カセットホルダ側面、４…カセットホルダ、
５…凸部、６…両面テープ、９ａ、１０ａ…ｃｈ１の記録パタン、
９ｂ、１０ｂ…ｃｈ２の記録パタン、１１…磁気ヘッド、１２…中回転ドラム、
１３…下固定ドラム、１４…上固定ドラム、１５…予圧金具、１６ａ、１６ｂ…玉軸受、
１７…軸、１８ａ…回転トランスロータ、１８ｂ…回転トランスステータ、
１９…止めネジ、２０…回路基板、２１…コネクタ、２２ａ…モータロータ、
２２ｂ…モータコイル、２２ｃ…モータステータ、２３…フレキシブル基板、
２４… 回転トランスフレキシブル基板、２５…回転トランス接続用コネクタ、
２６…締結ネジ、２７…基準面、２8…バランス修正プレート、
４１…取り付け穴、４２…つめ部、４５、４６、４７…折り目、４８…ネジ取り付け穴、
７１…振動防止板、８１…振動防止板
【図１】
2007026559.tif 000003
【図２】
2007026559.tif 000004
【図３】
2007026559.tif 000005
【図４】
2007026559.tif 000006
【図５】
2007026559.tif 000007
【図６】
2007026559.tif 000008
【図７】
2007026559.tif 000009
【図８】
2007026559.tif 000010
【図９】
2007026559.tif 000011
【図１０】
2007026559.tif 000012